【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
各々が既知のＰＲＮコードによって変調されるラジオローカライゼーション信号を送信する衛星である、ラジオローカライゼーション衛星から受信され、ドップラーシフトと符号位相シフトとを有する拡散スペクトラムラジオローカライゼーション信号を含む、ＧＮＳＳ信号を処理するための信号プロセッサであって、
前記ＧＮＳＳ信号から搬送波成分を取り除き、搬送波が取り除かれたＧＮＳＳ信号を提供するように構成される少なくとも一つの搬送波ワイプオフユニットと、
取得対象の衛星の前記ドップラーシフトに従って制御される、前記搬送波が取り除かれたＧＮＳＳ信号をサンプリングする少なくとも一つのサンプリング段階であって、プログラム可能な発振器により駆動され、前記プログラム可能な発振器の出力によって決定されるプログラム可能な継続期間での複数のサンプルを生成するように構成される蓄積手段を有する少なくとも一つのサンプリング段階と、ここで、前記少なくとも一つのサンプリング段階は、生成される前記連続するサンプルを整列するようにさらに構成されており、
前記少なくとも一つのサンプリング段階によって生成及び整列される前記連続するサンプルを格納するように配置された相関前バッファメモリと、
前記相関前バッファメモリ内のサンプルと、各々が位相シフトを有するレプリカである、複数の前記ＰＲＮコードのローカルのレプリカとを相関させ、複数の相関値を生成するように配置された少なくとも一つの相関エンジンと
を具備する信号プロセッサ。
【請求項２】
線形又は非線形の圧縮機能によって、前記サンプリングされた信号のダイナミックレンジを削減する圧縮ユニットをさらに具備する請求項１記載の信号プロセッサ。
【請求項３】
前記相関前バッファメモリ内に格納された値を、常に負でない又は常に正でないデジタルの数に符号化するように、機能的に構成されたバイアシングユニットをさらに具備する請求項１記載の信号プロセッサ。
【請求項４】
前記ＰＲＮコードのローカルのレプリカを生成する少なくとも一つの符号生成器を具備し、
前記符号生成器は、各符号期間の終わりに、前記符号内で位相シフトを適用するように構成される請求項１記載の信号プロセッサ。
【請求項５】
前記相関エンジンの出力に接続されて、前記複数の相関値のコヒーレント積分値を算出するＤＦＴエンジンをさらに具備する請求項１記載の信号プロセッサ。
【請求項６】
前記相関エンジンは、前記ＤＦＴエンジンによって、実時間で処理できるレートで、データを生成する請求項５記載の信号プロセッサ。
【請求項７】
前記相関エンジンによって生成され、前記ＤＦＴエンジンに供給される前記相関値を、ダウンスケールするためのスケーリングユニットをさらに具備する請求項５記載の信号プロセッサ。
【請求項８】
前記ＤＦＴエンジンの出力に基づいて相関値を算出するように配置された振幅モジュールと、
前記振幅モジュールの出力を蓄積するように配置されたインコヒーレント積分メモリと、
前記振幅モジュールから生成された振幅データから共通のオフセットを削除するように配置されたオフセット減算ユニットと
をさらに具備する請求項５記載の信号プロセッサ。
【請求項９】
各々が既知のＰＲＮコードによって変調されたラジオローカライゼーション信号を送信する衛星である、ラジオローカライゼーション衛星から受信され、ドップラーシフトと符号位相シフトとを有する拡散スペクトラムラジオローカライゼーション信号を含む、搬送波が取り除かれたＧＮＳＳ信号を受信することと、
取得対象の衛星の前記ドップラーシフトに従って制御される、プログラム可能な発振器によって、前記搬送波が取り除かれたＧＮＳＳ信号をサンプリングし、前記サンプリングから生成及び整列された前記サンプルを相関前バッファメモリに格納することと、
前記相関前バッファ内のサンプルと、各々が位相シフトを有するレプリカである、複数の前記ＰＲＮコードのローカルのレプリカとを相関させ、複数の相関値を生成することとのステップを具備するＧＮＳＳラジオローカライゼーション信号の処理方法。
【請求項１０】
前記相関前バッファ内のデータのダイナミックレンジを圧縮するステップをさらに具備する請求項９記載の処理方法。
【請求項１１】
前記相関前バッファメモリ内に格納された値を、常に負でない又は常に正でないデジタルの数に符号化するステップをさらに具備する請求項９記載の処理方法。
【請求項１２】
各符号期間の終わりで、前記符号内の位相シフトを適用して前記ＰＲＮコードのローカルのレプリカを生成するステップをさらに具備する請求項９記載の処理方法。
【請求項１３】
前記複数の相関値のコヒーレント積分値を算出するために、ＤＦＴの演算を適用するステップをさらに具備する請求項９記載の処理方法。
【請求項１４】
前記相関タップの振幅値を算出するステップと、
共通のオフセット振幅の減算の後、インコヒーレント積分メモリ領域内に前記振幅を積分するステップと
をさらに具備する請求項１３記載の処理方法。
【請求項１５】
前記少なくとも一つのサンプリング段階は、前記プログラム可能な発振器によって決定されるサンプリングレートで、前記搬送波が取り除かれた信号のサンプルを生成し、
前記相関エンジンは、前記サンプリングレートに等しい相関レートで、前記相関値を生成する請求項１記載の信号プロセッサ。
【請求項１６】
前記相関値は、前記サンプリングレートに等しいレートで、前記蓄積手段に蓄積される請求項１５記載の信号プロセッサ。
【請求項１７】
前記相関前バッファメモリ内に格納された値を、常に負でない又は常に正でないデジタルの数に符号化することに適合したバイアシングユニットと、
前記ＰＲＮコードのローカルのレプリカを生成する少なくとも一つの符号生成器であって、各符号期間の終わりに、前記符号内で位相シフトを適用するように構成される前記符号生成器と、
前記相関エンジンの出力に接続されて、前記複数の相関値のコヒーレント積分値を算出するように構成される前記ＤＦＴエンジンと、
コリレータによって生成され、前記ＤＦＴエンジンに供給される前記相関値をダウンスケールするためのスケーリングユニットとをさらに具備し、
前記少なくとも一つのサンプリング段階は、前記プログラム可能な発信器によって決定されたサンプリングレートで、前記搬送波が取り除かれた信号のサンプルを生成し、
前記相関値は、前記サンプリングレートに等しいレートで、前記蓄積手段に蓄積される請求項１記載の信号プロセッサ。
【請求項１８】
線形又は非線形の圧縮機能によって、前記サンプリングされた信号のダイナミックレンジを削減する圧縮ユニットと、
前記相関前バッファメモリ内に格納された値を、常に負でない又は常に正でないデジタルの数に符号化することに適合したバイアシングユニットと、
前記ＰＲＮコードのローカルのレプリカを生成する少なくとも一つの符号生成器であって、各符号期間の終わりで、前記符号内で位相シフトを適用するように構成される前記符号生成器と、
前記相関エンジンの出力に接続されて、前記複数の相関値のコヒーレント積分値を算出するように構成される前記ＤＦＴエンジンと、
コリレータによって生成され、前記ＤＦＴエンジンに供給される前記相関値をダウンスケールするためのスケーリングユニットと
をさらに具備する請求項１記載の信号プロセッサ。
【請求項１９】
前記相関前バッファメモリ内に格納された値を、常に負でない又は常に正でないデジタルの数に符号化することと、
各符号期間の終わりで、前記符号内の位相シフトを適用して前記ＰＲＮコードのローカルのレプリカを生成することと、
前記複数の相関値のコヒーレント積分値を算出するために、ＤＦＴの演算を適用することと、
前記相関タップの振幅値を算出することと、
共通のオフセット振幅の減算の後、インコヒーレント積分メモリ領域内に前記振幅を積分することと
をさらに具備する請求項９記載の処理方法。
【請求項２０】
各々が既知のＰＲＮコードによって変調されるラジオローカライゼーション信号を送信する衛星である、ラジオローカライゼーション衛星から受信され、ドップラーシフトと符号位相シフトとを有する拡散スペクトラムラジオローカライゼーション信号を含む、搬送波が取り除かれたＧＮＳＳ信号を受信するための手段と、
取得対象の衛星のドップラーシフトに従って制御される、プログラム可能な発信器によって前記搬送波が取り除かれたＧＮＳＳ信号をサンプリングし、生成及び整列された前記ＧＮＳＳ信号のサンプルを相関前バッファメモリ内に格納するための手段と、
前記相関前バッファ内のサンプルと、各々が位相シフトを有するレプリカである、複数の前記ＰＲＮコードのローカルのレプリカとを相関させ、複数の相関値を生成するための手段とを具備するＧＮＳＳラジオローカライゼーション信号を処理するための装置。
【請求項２１】
前記搬送波が取り除かれたＧＮＳＳ信号をサンプリングし、前記サンプルを格納するための手段は、前記相関前バッファ内のデータのダイナミックレンジを圧縮する請求項２０記載の装置。
【請求項２２】
前記搬送波が取り除かれたＧＮＳＳ信号をサンプリングし、前記サンプルを格納するための手段は、前記相関前バッファ内に格納された値を、常に負でない又は常に正でないデジタルの数に符号化する請求項２０記載の装置。
【請求項２３】
前記サンプルを相関させるための手段は、各符号期間の終わりに、前記符号内の位相シフトを適用して前記ＰＲＮコードのローカルのレプリカを生成する請求項２０記載の装置。
【請求項２４】
前記複数の相関値のコヒーレント積分値を算出するために、ＤＦＴ演算を適用する請求項２０記載の装置。
【請求項２５】
処理システムを具備する無線通信のための装置であって、
前記処理システムは、
各々が既知のＰＲＮコードによって変調されるラジオローカライゼーション信号を送信する衛星である、ラジオローカライゼーション衛星から受信され、ドップラーシフトと符号位相シフトとを有する拡散スペクトラムラジオローカライゼーション信号を含む、搬送波が取り除かれたＧＮＳＳ信号を受信し、
取得対象の衛星のドップラーシフトに従って制御されるプログラム可能な発信器によって、前記搬送波が取り除かれたＧＮＳＳ信号をサンプリングし、生成及び整列された前記ＧＮＳＳ信号のサンプルを相関前バッファメモリに格納し、
前記相関前バッファ内のサンプルと、各々が位相シフトを有するレプリカである、複数の前記ＰＲＮコードのローカルのレプリカとを相関させ、複数の相関値を生成するように構成される、無線通信のための装置。
【請求項２６】
前記処理システムは、さらに、前記相関前バッファ内のデータのダイナミックレンジを圧縮するように構成される請求項２５記載の装置。
【請求項２７】
前記処理システムは、さらに、前記相関前バッファ内に格納された値を、常に負でない又は常に正でないデジタルの数に符号化するように構成される請求項２５記載の装置。
【請求項２８】
前記処理システムは、さらに、各符号期間の終わりに、前記符号内の位相シフトを適用して前記ＰＲＮ符号のローカルのレプリカを生成するように構成される請求項２５記載の装置。
【請求項２９】
前記処理システムは、さらに、前記複数の相関値のコヒーレント積分値を算出するために、ＤＦＴ演算を適用するように構成された請求項２５記載の装置。
【請求項３０】
前記処理システムは、さらに、前記相関タップの振幅値を算出するように構成される請求項２９記載の装置。
【請求項３１】
１以上のプロセッサによって実行される命令を格納するコンピュータ読み取り可能な記憶媒体であって、
前記命令は前記１以上のプロセッサに、
各々が既知のＰＲＮコードによって変調されるラジオローカライゼーション信号を送信する衛星である、ラジオローカライゼーション衛星から受信され、ドップラーシフトと符号位相シフトとを有する拡散スペクトラムラジオローカライゼーション信号を含む、搬送波が取り除かれたＧＮＳＳ信号を受信させ、
取得対象の衛星のドップラーシフトに従って制御されるプログラム可能な発信器によって、前記搬送波が取り除かれたＧＮＳＳ信号をサンプリングさせ、前記サンプリングから生成及び整列された前記サンプルを相関前バッファメモリに格納させ、
前記相関前バッファ内のサンプルと、各々が位相シフトを有するレプリカである、複数の前記ＰＲＮコードのローカルのレプリカとを相関させ、複数の相関値を生成させる、コンピュータ読み取り可能な記憶媒体。
【請求項３２】
前記命令は、さらに、前記１以上のプロセッサに、前記相関前バッファ内のデータのダイナミックレンジを圧縮させる請求項３１記載のコンピュータ読み取り可能な記憶媒体。
【請求項３３】
前記命令は、さらに、前記１以上のプロセッサに、前記相関前バッファ内に格納された値を、常に負でない又は常に正でないデジタルの数に符号化させる請求項３１記載のコンピュータ読み取り可能な記憶媒体。
【請求項３４】
前記命令は、さらに、前記１以上のプロセッサに、各符号期間の終わりに、前記符号内の位相シフトを適用して前記ＰＲＮ符号のローカルのレプリカを生成させる請求項３１記載のコンピュータ読み取り可能な記憶媒体。
【請求項３５】
前記命令は、さらに、前記１以上のプロセッサに、前記複数の相関値のコヒーレント積分値を算出するために、ＤＦＴ演算を適用させる請求項３１記載のコンピュータ読み取り可能な記憶媒体。
【請求項３６】
前記命令は、さらに、前記１以上のプロセッサに、前記相関タップの振幅値を算出させる請求項３５記載のコンピュータ読み取り可能な記憶媒体。